【手続補正書】
【提出日】平成27年1月14日(2015.1.14)
【手続補正１】
【補正対象書類名】特許請求の範囲
【補正対象項目名】全文
【補正方法】変更
【補正の内容】
【特許請求の範囲】
【請求項１】
移動端末がアップリンクサブフレームにおいてチャネル状態情報とハイブリッドＡＲＱのＡＣＫ／ＮＡＣＫ情報とを同時並行で報告する方法であって、
複数のダウンリンクサブフレーム、もしくは、複数のダウンリンクキャリア、または、複数のダウンリンクサブフレームと複数のダウンリンクキャリアとの両方に対応した、第１のチャネル状態情報と第１のハイブリッドＡＲＱのＡＣＫ／ＮＡＣＫビットが第１のアップリンクサブフレームにおいて送信されるようにスケジュールされているかどうかを判定するステップと、
前記第１のハイブリッドＡＲＱのＡＣＫ／ＮＡＣＫビットの数がしきい値以下であるかどうかを判定するステップと、
前記第１のアップリンクサブフレームにおいて送信されることになっているハイブリッドＡＲＱのＡＣＫ／ＮＡＣＫビットの数が前記しきい値以下であると判定したことに応じて、単一のキャリア上で、前記第１のアップリンクサブフレームの物理制御チャネルリソースにより、前記第１のチャネル状態情報と前記第１のハイブリッドＡＲＱのＡＣＫ／ＮＡＣＫビットとの両方を送信するステップと、
前記第１のアップリンクサブフレームにおいて送信されることになっているハイブリッドＡＲＱのＡＣＫ／ＮＡＣＫビットの数が前記しきい値以下でないと判定したことに応じて、前記第１のチャネル状態情報をドロップし、単一のキャリア上で、前記第１のアップリンクサブフレームの物理制御チャネルリソースにより、前記第１のハイブリッドＡＲＱのＡＣＫ／ＮＡＣＫビットを送信するステップと
を有することを特徴とする方法。
【請求項２】
前記第１のハイブリッドＡＲＱのＡＣＫ／ＮＡＣＫビットの数は、ＡＣＫ／ＮＡＣＫバンドリングした後におけるＡＣＫ／ＮＡＣＫビットの数を表していることを特徴とする請求項１に記載の方法。
【請求項３】
前記しきい値は、前記第１のアップリンクサブフレームにより送信されるようにスケジュールされている前記第１のチャネル状態情報のビットの数に依存していることを特徴とする請求項１または２に記載の方法。
【請求項４】
複数のダウンリンクサブフレーム、もしくは、複数のダウンリンクキャリア、または、複数のダウンリンクサブフレームと複数のダウンリンクキャリアとの両方に対応した、第２のチャネル状態情報と第２のハイブリッドＡＲＱのＡＣＫ／ＮＡＣＫビットが第２のアップリンクサブフレームにおいて送信されるようにスケジュールされているかどうかを判定するステップと、
前記第２のハイブリッドＡＲＱのＡＣＫ／ＮＡＣＫビットの数が前記しきい値以下であるかどうかを判定するステップと、
前記第２のアップリンクサブフレームにおいて送信されることになっているハイブリッドＡＲＱのＡＣＫ／ＮＡＣＫビットの数が前記しきい値以下でないと判定したことに応じて、前記第２のハイブリッドＡＲＱのＡＣＫ／ＮＡＣＫビットをバンドリングして前記しきい値以下の数のいくつかのバンドルされたＡＣＫ／ＮＡＣＫビットを生成するステップと、
単一のキャリア上で、前記第２のアップリンクサブフレームの物理制御チャネルリソースにより、前記第２のチャネル状態情報と前記バンドルされたＡＣＫ／ＮＡＣＫビットとの両方を送信するステップと
を有することを特徴とする請求項１に記載の方法。
【請求項５】
前記第１のハイブリッドＡＲＱのＡＣＫ／ＮＡＣＫビットと前記第１のチャネル状態情報は、ロングタームエボリューション（ＬＴＥ）無線システムにおける物理アップリンク制御チャネル（ＰＵＣＣＨ）のフォーマット３リソースを用いて送信されることを特徴とする請求項１ないし４のいずれか１項に記載の方法。
【請求項６】
前記第１のチャネル状態情報と前記第１のハイブリッドＡＲＱのＡＣＫ／ＮＡＣＫビットとの両方を送信する前に実行されるステップとして、
第１のエンコーダを用いて前記ハイブリッドＡＲＱのＡＣＫ／ＮＡＣＫビットをエンコードし、これとは別に第２のエンコーダを用いて前記チャネル状態情報のビットをエンコードするステップと、
前記エンコードされたハイブリッドＡＲＱのＡＣＫ／ＮＡＣＫビットと前記エンコードされたチャネル状態情報とをインターリーブするステップと
を有することを特徴とする請求項１ないし５のいずれか１項に記載の方法。
【請求項７】
基地局が受信したチャネル状態情報とハイブリッドＡＲＱのＡＣＫ／ＮＡＣＫビットとの報告を処理する方法であって、
移動端末によってエンコードされた制御チャネル情報を搬送する１つ以上の物理制御チャネルリソースをそれぞれが含む複数のアップリングサブフレームを受信するステップを有し、
さらに、前記方法は、
前記物理制御チャネルリソースのそれぞれについて、予想されるハイブリッドＡＲＱのＡＣＫ／ＮＡＣＫビットの数がしきい値以下であるかどうかを判定するステップと、
前記予想されるハイブリッドＡＲＱのＡＣＫ／ＮＡＣＫビットの数が前記しきい値以下であると判定された物理制御チャネルリソースのそれぞれからチャネル状態情報とハイブリッドＡＲＱのＡＣＫ／ＮＡＣＫビットの両方をデコードするステップと、
前記予想されるハイブリッドＡＲＱのＡＣＫ／ＮＡＣＫビットの数が前記しきい値以下でないと判定された物理制御チャネルリソースのそれぞれからハイブリッドＡＲＱのＡＣＫ／ＮＡＣＫビットだけをデコードするステップ
を有することを特徴とする方法。
【請求項８】
前記しきい値は、予想されるチャネル状態情報のビットの数に依存していることを特徴とする請求項７に記載の方法。
【請求項９】
前記予想されるハイブリッドＡＲＱのＡＣＫ／ＮＡＣＫビットの数が前記しきい値以下でないと判定された物理制御チャネルリソースのそれぞれからチャネル状態情報と、バンドルされたハイブリッドＡＲＱのＡＣＫ／ＮＡＣＫビットとの両方をデコードするステップと、
前記バンドルされたハイブリッドＡＲＱのＡＣＫ／ＮＡＣＫビットのバンドルを解除するステップと
をさらに有することを特徴とする請求項７に記載の方法。
【請求項１０】
チャネル状態情報と、バンドルされたハイブリッドＡＲＱのＡＣＫ／ＮＡＣＫビットとの両方をデコードする前記ステップは、
前記物理制御チャネルリソースからのエンコードされたビットをデインターリーブし、エンコードされたハイブリッドＡＲＱのＡＣＫ／ＮＡＣＫビットを取得するとともに、エンコードされたチャネル状態情報のビットを分離するステップと、
第１のデコーダを使用して前記ハイブリッドＡＲＱのＡＣＫ／ＮＡＣＫビットをデコードするともに、それとは別に第２のデコーダを用いて前記チャネル状態情報のビットをデコードするステップと
を有することを特徴とする請求項７ないし９のいずれか１項に記載の方法。
【請求項１１】
チャネル状態情報とハイブリッドＡＲＱのＡＣＫ／ＮＡＣＫの情報とを同時並行して報告するように前記移動端末が無線リソース制御シグナリングを通じて設定されているかどうかを判定するステップをさらに有することを特徴とする請求項１ないし１０のいずれか１項に記載の方法。
【請求項１２】
アップリンクサブフレームにおいてチャネル状態情報とハイブリッドＡＲＱのＡＣＫ／ＮＡＣＫ情報とを同時並行で報告するように構成された移動端末であって、
受信機回路と、送信機回路と、処理回路とを有し、
前記処理回路は、
複数のダウンリンクサブフレーム、もしくは、複数のダウンリンクキャリア、または、複数のダウンリンクサブフレームと複数のダウンリンクキャリアとの両方に対応した、第１のチャネル状態情報と第１のハイブリッドＡＲＱのＡＣＫ／ＮＡＣＫビットが第１のアップリンクサブフレームにおいて送信されるようにスケジュールされているかどうかを判定し、
前記第１のハイブリッドＡＲＱのＡＣＫ／ＮＡＣＫビットの数がしきい値以下であるかどうかを判定し、
前記第１のアップリンクサブフレームにおいて送信されることになっているハイブリッドＡＲＱのＡＣＫ／ＮＡＣＫビットの数が前記しきい値以下であると判定したことに応じて、単一のキャリア上で、前記第１のアップリンクサブフレームの物理制御チャネルリソースにより、前記第１のチャネル状態情報と前記第１のハイブリッドＡＲＱのＡＣＫ／ＮＡＣＫビットとの両方を、前記送信機回路を通じて基地局に送信し、
前記第１のアップリンクサブフレームにおいて送信されることになっているハイブリッドＡＲＱのＡＣＫ／ＮＡＣＫビットの数が前記しきい値以下でないと判定したことに応じて、前記第１のチャネル状態情報をドロップし、単一のキャリア上で、前記第１のアップリンクサブフレームの物理制御チャネルリソースにより、前記第１のハイブリッドＡＲＱのＡＣＫ／ＮＡＣＫビットを、前記送信機回路を通じて基地局に送信する
ように構成されていることを特徴とする移動端末。
【請求項１３】
前記処理回路はさらに、
複数のダウンリンクサブフレーム、もしくは、複数のダウンリンクキャリア、または、複数のダウンリンクサブフレームと複数のダウンリンクキャリアとの両方に対応した、第２のチャネル状態情報と第２のハイブリッドＡＲＱのＡＣＫ／ＮＡＣＫビットが第２のアップリンクサブフレームにおいて送信されるようにスケジュールされているかどうかを判定し、
前記第２のハイブリッドＡＲＱのＡＣＫ／ＮＡＣＫビットの数が前記しきい値以下であるかどうかを判定し、
前記第２のアップリンクサブフレームにおいて送信されることになっているハイブリッドＡＲＱのＡＣＫ／ＮＡＣＫビットの数が前記しきい値以下でないと判定したことに応じて、前記第２のハイブリッドＡＲＱのＡＣＫ／ＮＡＣＫビットをバンドリングして前記しきい値以下の数のいくつかのバンドルされたＡＣＫ／ＮＡＣＫビットを生成し、
単一のキャリア上で、前記第２のアップリンクサブフレームの物理制御チャネルリソースにより、前記第２のチャネル状態情報と前記バンドルされたＡＣＫ／ＮＡＣＫビットとの両方を、前記送信機回路を通じて前記基地局に送信する
ように構成されていることを特徴とする請求項１２に記載の移動端末。
【請求項１４】
受信したチャネル状態情報とハイブリッドＡＲＱのＡＣＫ／ＮＡＣＫビットとの報告を処理するように構成された基地局であって、
送信機回路と、受信機回路と、処理回路とを有し、
前記処理回路は、
移動端末によってエンコードされた制御チャネル情報を搬送する１つ以上の物理制御チャネルリソースをそれぞれが含む複数のアップリングサブフレームを、前記受信機回路を通じて受信し、
前記物理制御チャネルリソースのそれぞれについて、予想されるハイブリッドＡＲＱのＡＣＫ／ＮＡＣＫビットの数がしきい値以下であるかどうかを判定し、
前記予想されるハイブリッドＡＲＱのＡＣＫ／ＮＡＣＫビットの数が前記しきい値以下であると判定された物理制御チャネルリソースのそれぞれからチャネル状態情報とハイブリッドＡＲＱのＡＣＫ／ＮＡＣＫビットの両方をデコードし、
前記予想されるハイブリッドＡＲＱのＡＣＫ／ＮＡＣＫビットの数が前記しきい値以下でないと判定された物理制御チャネルリソースのそれぞれからハイブリッドＡＲＱのＡＣＫ／ＮＡＣＫビットだけをデコードする
ように構成されていることを特徴とする基地局。
【請求項１５】
前記処理回路はさらに、
前記予想されるハイブリッドＡＲＱのＡＣＫ／ＮＡＣＫビットの数が前記しきい値以下でないと判定された物理制御チャネルリソースのそれぞれからチャネル状態情報と、バンドルされたハイブリッドＡＲＱのＡＣＫ／ＮＡＣＫビットとの両方をデコードし、
前記バンドルされたハイブリッドＡＲＱのＡＣＫ／ＮＡＣＫビットのバンドルを解除する
ように構成されていることを特徴とする請求項１４に記載の基地局。
【請求項１６】
前記処理回路はさらに、チャネル状態情報と、バンドルされたハイブリッドＡＲＱのＡＣＫ／ＮＡＣＫビットとの両方をデコードする際に、
前記物理制御チャネルリソースからのエンコードされたビットをデインターリーブし、エンコードされたハイブリッドＡＲＱのＡＣＫ／ＮＡＣＫビットを取得するとともに、エンコードされたチャネル状態情報のビットを分離し、
第１のデコーダを使用して前記ハイブリッドＡＲＱのＡＣＫ／ＮＡＣＫビットをデコードするともに、それとは別に第２のデコーダを用いて前記チャネル状態情報のビットをデコードする
ように構成されていることを特徴とする請求項１４または１５に記載の基地局。